(57)【特許請求の範囲】
【請求項１】
対物光学系によって形成される物体像を接眼光学系を介して観察する実像式ファインダにおいて、
上記対物光学系と接眼光学系の光学要素を支持するファインダブロックと；
このファインダブロックとは別部材からなり、上記対物光学系による結像面を含んでファインダ光路中に配置された中空ブロック部材と；を備え、
この中空ブロック部材が、ファインダ光軸と直交する方向に直進移動可能に案内されていること；
この中空ブロック部材は、対物光学系側と接眼光学系側の夫々に透明部材を有しており、この両透明部材の間に上記結像面を含む閉空間が形成されていること；及び
各透明部材は中空ブロック部材の対物光学系側と接眼光学系側に係合する弾性材からなる一対の固定用部材を介して中空ブロック部材に固定されており、該一対の固定用部材の一部が夫々ファインダブロックの固定部に弾接して、中空ブロック部材をファインダ光軸と直交する上記直進移動方向のいずれか一方向に付勢していること；
を特徴とする実像式ファインダ。
【請求項２】
請求項１において、透明部材の少なくとも一方はレンズを含む実像式ファインダ。
【請求項３】
請求項１または２において、中空ブロック部材を上記固定用部材の付勢力に抗してファインダ光軸と直交する上記方向に沿って移動させる調整手段を備えた実像式ファインダ。
【請求項４】
請求項１ないし３のいずれか一項において、各透明部材は、中空ブロック部材との間に第１シール材を挟んだ状態で中空ブロック部材に固定されている実像式ファインダ。
【請求項５】
請求項１ないし４のいずれか一項において、上記結像面を含む閉空間内にはＬＣＤが配設され、このＬＣＤから延びる配線板は、中空ブロック部材の一側に突設した突出部に形成した挿通孔を通って中空ブロック部材外部に延出され、かつ、上記配線板と上記挿通孔の内面の間が第２シール材によって封止されている実像式ファインダ。
【請求項６】
請求項５において、ファインダブロックは、上記中空ブロック部材の突出部を上記直進移動方向に案内するガイド孔を有している実像式ファインダ。
【請求項７】
請求項４において、第１シール材は通気性を有する多孔質材料からなる実像式ファインダ。
【請求項８】
請求項５または６において、第２シール材は通気性を有する多孔質材料からなる実像式ファインダ。
【発明の詳細な説明】
【０００１】
【発明の属する技術分野】
本発明は、実像式ファインダに関する。
【０００２】
【従来技術およびその問題点】
従来、対物光学系によって形成された物体像を接眼光学系を介して観察する実像式ファインダでは、物体像が形成される結像面付近にゴミが存在すると、このゴミがファインダ視野内で観察されるためファインダ視野が見苦しくなるという問題があった。
【０００３】
上記問題を克服するためにファインダ全体を密封構造にすることでファインダ内へのゴミの侵入を防ぐことが考えられるが、複雑な構造を有するファインダ全体を完全に密封するのは難しい。特に、ファインダ光学系の一部を移動調整する視差調整機構等を備えたファインダの場合には、この調整機構の可動部分の密封は特に難しい。このため、視差調整機構等を備えた従来のファインダでは、簡単な構造によって結像面付近へのゴミの侵入を防いでいるものは存在しなかった。
【０００４】
【発明の目的】
本発明は、以上の問題点に鑑みて成されたもので、対物光学系によって形成された物体像を接眼光学系を介して観察する実像式ファインダにおいて、簡単な構造によって結像面付近へのゴミの侵入を防ぐことが可能な実像式ファインダを提供することを目的とする。
【０００５】
【発明の概要】
本発明は、対物光学系によって形成される物体像を接眼光学系を介して観察する実像式ファインダにおいて、対物光学系と接眼光学系の光学要素を支持するファインダブロックと；このファインダブロックとは別部材からなり、対物光学系による結像面を含んでファインダ光路中に配置された中空ブロック部材と；を備え、この中空ブロック部材が、ファインダ光軸と直交する方向に直進移動可能に案内されていること；この中空ブロック部材は、対物光学系側と接眼光学系側の夫々に透明部材を有しており、この両透明部材の間に上記結像面を含む閉空間が形成されていること；及び各透明部材は中空ブロック部材の対物光学系側と接眼光学系側に係合する弾性材からなる一対の固定用部材を介して中空ブロック部材に固定されており、該一対の固定用部材の一部が夫々ファインダブロックの固定部に弾接して、中空ブロック部材をファインダ光軸と直交する直進移動方向のいずれか一方向に付勢していること；を特徴としている。
【０００６】
【発明の実施の形態】
以下図示実施例に基づいて本発明を説明する。図１は、本発明を適用したレンズシャッタ式カメラ２０を示している。このカメラ２０は、撮影光学系の焦点距離変化に応じて変倍される実像式の変倍ファインダを備えたズームコンパクトカメラである。カメラ２０の前面２１の略中央には、焦点距離が可変であるズーム撮影光学系（図示せず）を内部に備えた撮影レンズ鏡筒２２が設けられている。またカメラ２０の前面２１の上部には、正面右側から左側にかけて順にストロボ窓２３、測距窓２４ａ、２４ｂ、ファインダ対物窓２５、セルフタイマー作動表示ランプ窓２６、測光窓２７ａ、２７ｂが設けられている。また、カメラ２０の上面２８の一側にはレリーズ釦２９が設けられ、このレリーズ釦２９の後方には望遠側ズーム釦３２ａと広角側ズーム釦３２ｂが設けられ、カメラ２０後方から視た後面３０の左上方にはファインダ接眼部３１が設けられている。
【０００７】
カメラ２０は、撮影フィルムとして、図２１及び図２２に示したフィルムカートリッジ１を使用する。このフィルムカートリッジ１は、米国特許第５，１２２，８２０号公報、同第５，２９６，８８７号公報等で公知のもので、未使用状態ではフィルムの先端部までもカートリッジ内に巻き込んだ状態とし、使用時にカートリッジに設けた遮光扉を開放しかつカートリッジ内のスプールを回転させて該遮光扉からフィルムを送出する構造とされたカメラ用フィルムカートリッジである。
【０００８】
フィルムカートリッジ１は、一対の外枠半体５、７からなるカートリッジ外枠３を有しており、このカートリッジ外枠３内に、スプール９に巻かれたフィルムＦ（図２参照）が収納されている。フィルムカートリッジ１の一側には、スプール９の軸方向と平行に延びるフィルム送出入口１１が形成されている。このフィルム送出入口１１は、該フィルム送出入口１１からフィルムＦが送出される方向（図中の矢印Ｄ方向）に突出するフィルム送出入部１５の先端部に形成されている。フィルム送出入口１１は、該フィルム送出入口１１に沿って開閉可能に設けられた遮光扉１３によって開閉される。
【０００９】
図２は、カメラ２０内部の要部断面図であり、図３は、同要部をカメラ２０の正面側から視た図である。また図４は、図２のIV-IV 線に沿った断面図である。カメラ２０の外観を形成するカメラ外枠１９の内部には、左右にスプール室３３とカートリッジ室３４を有するカメラボディブロック２０ａが固定されている。このカメラボディブロック２０ａには、スプール室３３とカートリッジ室３４の間に横長矩形の撮影開口３５が形成されている。この撮影開口３５の後方には、カメラボディブロック２０ａの後壁３６に一体に形成された圧板３６ａが位置されており、撮影開口３５と圧板３６ａとの間にはフィルム案内空間３７が形成されている。また後壁３６の後方には、カメラ外枠１９の一部をなすカメラ後壁１９ａが後壁３６と略平行に設けられている。カートリッジ室３４の内部には、カメラ２０の底面に設けられたカートリッジ挿出入開口（図示せず）からフィルムカートリッジ１が所定の方向（例えば図２の紙面に垂直な方向）で挿入される。スプール室３３の内部には、フィルムカートリッジ１から送出されかつフィルム案内空間３７を通ってスプール室３３に達したフィルムＦを巻き取るスプール３８が設けられている。
【００１０】
スプール室３３とカートリッジ室３４の間には、撮影開口３５の前方に位置させて、撮影レンズ鏡筒２２を含む撮影レンズブロック４０が配設されている。より詳細には、撮影レンズブロック４０は、スプール室３３を形成する側壁４２の一部をなす内側側壁４２ａと、カートリッジ室３４を形成する側壁４４の一部をなす内側側壁４４ａとの間に固定されている。なお、撮影レンズブロック４０の具体的な構造は、公知である種々の撮影レンズブロック構造が適用でき、また本発明の特徴部分ではないので図示を省略している。
【００１１】
内側側壁４４ａの後端部には、フィルムカートリッジ１のフィルム送出入部１５の外形に沿って撮影レンズブロック４０側に突出する段部４６が設けられている。この段部４６の前面４６ａは、撮影開口３５が形成されたアパーチャ枠３９の前面３９ａから所定長さ前方に位置されている。撮影レンズブロック４０は、その後端部４０ａをこの段部４６の前面４６ａに隣接させた状態で、内側側壁４２ａと内側側壁４４ａとの間に固定されている。よって撮影レンズブロック４０は、その後端部４０ａが撮影開口３５から所定量前方に位置するように配置されている。この構造により、撮影開口３５上方の撮影レンズブロック４０の後端部４０ａとカメラ後壁１９ａとの間に、一定の空間であるカメラ内部空間ＩＳを形成している。
【００１２】
カメラ２０は、撮影光学系とは独立したファインダ光学系を有している。このファインダ光学系はカメラ２０の内部上方に配設されたファインダブロック９６（図２〜図７参照）に支持されており、このファインダブロック９６の一部（図３、図６に示す屈曲光路部９６ｐ）は、上述のカメラ内部空間ＩＳ内に配置されている  。
【００１３】
カメラ２０の内部上方には、ファインダブロック９６、測光光学系７０、測距ユニット８０等を支持するユニットブロック９０（図５〜図７を参照）が設けられている。このユニットブロック９０は、図７に示すように、ベースとなる基板部９１と、この基板部９１上に固定されるカバー部１００を有している。これら基板部９１とカバー部１００の間に、ファインダブロック９６や測距ユニット８０等が挟持されている。ユニットブロック９０は、基板部９１及びカバー部１００夫々の左右に設けられた取付部９３、１０８を介してカメラボディブロック２０ａの固定部（図示せず）に螺子止めされている。
【００１４】
基板部９１の正面左端には、測光光学系ホールド部９２が形成されている。この測光光学系ホールド部９２の前面には、第１測光レンズ７０ａと第２測光レンズ７０ｂからなる測光光学系７０が設けられている。測光光学系ホールド部９２の内部には、第１測光レンズ７０ａの後方に位置させて第１測光素子（図示せず）が設けられ、また第２測光レンズ７０ｂの後方に位置させて第２測光素子（図示せず）が設けられている。第１測光レンズ７０ａと上記第１測光素子は撮影画面全体を測光し、第２測光レンズ７０ｂと上記第２測光素子は撮影画面の中央部分のみを測光し、これにより順光または逆光状態を検知する。また測光光学系ホールド部９２には、第２測光レンズ７０ｂ近傍にセルフタイマー作動表示ランプ７１が設けられている。第１測光レンズ７０ａ、第２測光レンズ７０ｂ、セルフタイマー作動表示ランプ７１は夫々、測光窓２７ｂ、測光窓２７ａ、セルフタイマー作動表示ランプ窓２６の後方に位置される。
【００１５】
基板部９１の正面右側前部（図５での右側下部）には、ブロック形状の測距ユニット８０を支持する測距ユニットホールド部９４が形成されている。測距ユニット８０は、この測距ユニットホールド部９４と、カバー部１００に形成された測距ユニット押え部１０１とに挟持された状態でユニットブロック９０に設けられる。測距ユニット８０は、パッシブ方式のＡＦ機構に用いられる公知の測距ユニットであり、その前面に左右一対の受光部８１、８２を有している。これら受光部８１、８２は夫々、測距窓２４ｂ、２４ａの後方に位置される。測距ユニット８０の正面右側の後端からはフレキシブル配線板８３（図１４）が上方に延びており、このフレキシブル配線板８３は、カバー部１００に形成された挿通孔１０７を通ってユニットブロック９０外部に導かれている。
【００１６】
ファインダブロック９６に支持されるファインダ光学系は、実像式のファインダ光学系であり、またズーム撮影光学系のズーミング動作に連動して変倍する変倍ファインダ光学系として構成されている。ファインダ光学系は、物体側から順に、対物第１レンズＬ１、対物第２レンズＬ２、対物第３レンズＬ３、第１反射ミラーＭ１、第２反射ミラーＭ２、コンデンサレンズＣＬ、液晶表示板ＤＰ、透明板ＴＰ、第１反射面Ｐ２と第２反射面Ｐ３を含むプリズムＰＳ、接眼レンズＥＰ等を有している。対物第１、第２及び第３レンズＬ１、Ｌ２、Ｌ３により対物光学系を構成し、接眼レンズＥＰにより接眼光学系を構成している。
【００１７】
対物第１レンズＬ１は固定レンズであり、対物第２レンズＬ２と対物第３レンズＬ３の夫々は対物系光軸ＯS に沿って移動される可動レンズである。これら対物第１、第２及び第３レンズＬ１、Ｌ２、Ｌ３によりファインダ光学系の変倍光学系を構成している。対物第１、第２及び第３レンズＬ１、Ｌ２、Ｌ３の各々は、カメラ２０の前方から視て横方向に若干長い略矩形形状のレンズとして構成されており、対物第１レンズＬ１の有効径は、対物第２及び第３レンズＬ２、Ｌ３の各有効径よりも大きく設定されている。
【００１８】
上記第１反射ミラーＭ１からプリズムＰＳの第２反射面Ｐ３までのファインダ光学系部分は対物光学系と接眼光学系を光学的に接続するもので、このうち第２反射ミラーＭ２からプリズムＰＳの第１反射面Ｐ２までのファインダ光学系部分は、ファインダブロック９６に形成された屈曲光路部９６ｐに支持されている。この屈曲光路部９６ｐは、対物光学系に続くファインダ光路部分を下方に屈曲させて撮影開口３５側に突出形成されており、上述したカメラ内部空間ＩＳ内に配置されている。撮影開口３５上部のカメラボディブロック２０ａ部分には、撮影開口３５側に突出する屈曲光路部９６ｐの外形に沿った切欠部４７が形成されている。
【００１９】
基板部９１には、測光光学系ホールド部９２と測距ユニットホールド部９４との間に、前後方向に延びる変倍光学系基板部９５が形成されている。この変倍光学系基板部９５の内面は、円筒内面形状とされた湾曲カム板支持案内面９５ａとして構成されている。ファインダブロック９６は、この変倍光学系基板部９５に沿って対物系光軸ＯS と平行に延びる断面略円筒形状の変倍系支持案内筒部９６ａを有している。この変倍系支持案内筒部９６ａの前端には、測光光学系ホールド部９２と測距ユニットホールド部９４との間に位置される断面矩形の第１レンズ枠収容部９６ｂが固定されている。この第１レンズ枠収容部９６ｂの内方には、対物第１レンズＬ１を支持する第１レンズ枠９７が収容されている。
【００２０】
変倍系支持案内筒部９６ａ及びこの変倍系支持案内筒部９６ａの前端に固定された第１レンズ枠収容部９６ｂの内部には、互いに平行に前後方向（対物系光軸ＯS 方向）に延びる一対のガイドシャフト１１０が設けられている。図１１に示すように、この一対のガイドシャフト１１０の後端はファインダブロック９６に固定され、前端は第１レンズ枠収容部９６ｂに固定されたシャフト支持部材１１１に固定されている。第１レンズ枠９７は、一対のガイドシャフト１１０上に固定されている。
【００２１】
対物第２レンズＬ２と対物第３レンズＬ３は夫々第２レンズ枠９８と第３レンズ枠９９に支持されており、これら第２レンズ枠９８と第３レンズ枠９９は一対のガイドシャフト１１０上に摺動可能に嵌められている。第２レンズ枠９８と第３レンズ枠９９の各上部には、上方に延びるピン９８ａとピン９９ａが夫々植設されており、これらピン９８ａ、９９ａは、変倍系支持案内筒部９６ａの上方に形成された互いに平行に前後方向に延びる一対のガイド溝１１２、１１３に夫々摺動可能に嵌っている（図５、１４、１５参照）。つまり第２レンズ枠９８と第３レンズ枠９９は、一対のガイドシャフト１１０及び一対のガイド溝１１２、１１３によって対物系光軸ＯS に沿って前後方向に移動可能に案内されている。カバー部１００は変倍光学系上をカバーするファインダ押え部１０２を有しており、図５、図１５及び図１６に示すように、このファインダ押え部１０２に形成された矩形の開口１０３内に変倍系支持案内筒部９６ａの上端部を位置させている。
【００２２】
また第２レンズ枠９８と第３レンズ枠９９の各下部には、下方に延びるカムピン９８ｂとカムピン９９ｂが夫々植設されている（図１６参照）。これらカムピン９８ｂ、９９ｂは、変倍系支持案内筒部９６ａの底部に形成された開口９６ｄを通って断面円弧形状（断面略半円筒形状）の湾曲カム板１１５に形成されたカム溝１１５ａ、１１５ｂに夫々摺動可能に嵌っている。この湾曲カム板１１５の構造及び該湾曲カム板１１５の支持構造に関して以下に詳述する。
【００２３】
変倍系支持案内筒部９６ａの外周面は、湾曲カム板支持案内面９５ａに対向しかつ湾曲カム板支持案内面９５ａと同心の湾曲カム板支持案内面９６ｃとして構成されている。この湾曲カム板支持案内面９６ｃと湾曲カム板支持案内面９５ａとは互いに所定間隔をおいて前後方向に延びており、互いの間に湾曲カム板移動空間Ｓを形成している。この湾曲カム板移動空間Ｓ内に、対物系光軸ＯS を略中心に回動可能な状態で、断面円弧形状の湾曲カム板１１５が設けられている。
【００２４】
この湾曲カム板１１５には、図８ないし図１０に示すように夫々所定の形状を有する２つのカム溝１１５ａ、１１５ｂが形成されている。これらカム溝１１５ａ、１１５ｂには、カムピン９８ｂ、９９ｂが夫々摺動可能に嵌っている。湾曲カム板１１５外周面の前端近傍には、周方向に沿ったギヤ部１１５ｃが形成されている。変倍光学系基板部９５のギヤ部１１５ｃと対向する部分には切欠孔９５ｂが形成されており、ギヤ部１１５ｃは、この切欠孔９５ｂから変倍光学系基板部９５外部に臨んでいる（図１５参照）。このギヤ部１１５ｃは、複数のギヤから成るギヤ列１１６を介して、ズーム撮影光学系を駆動するズーム駆動系（図示せず）と連結されている。
【００２５】
つまり、ズーム駆動系を介してズーム撮影光学系を駆動するズームモーター（図示せず）の回転が、ギヤ列１１６を介してギヤ部１１５ｃにも同時に伝達される。以上の構造により、望遠側ズーム釦３２ａまたは広角側ズーム釦３２ｂの操作に応じて上記ズームモーターが起動すると、ズーム撮影光学系が駆動されると同時にズームモーターの回転がギヤ列１１６及びギヤ部１１５ｃを介して湾曲カム板１１５に伝達され、湾曲カム板１１５が湾曲カム板移動空間Ｓ内において対物系光軸ＯS を略中心に回動する。この湾曲カム板１１５の回動により、カム溝１１５ａ、１１５ｂ及びカムピン９８ｂ、９９ｂを介して第２レンズ枠９８と第３レンズ枠９９即ち対物第２レンズＬ２と対物第３レンズＬ３が両者間の空気間隔を所定の関係で変化させるべく移動し、これによってファインダ光学系の焦点距離が連続的に変化する。このため、カム溝１１５ａ、１１５ｂの各形状は、撮影光学系の焦点距離変化とファインダ光学系の焦点距離変化が互いに対応するべく所定の形状に予め決定されている。図１１において、対物第２レンズＬ２と対物第３レンズＬ３の実線位置は広角端にある際の位置を示しており、二点鎖線位置は望遠端にある際の位置を示している。また、図１５及び図１６において、湾曲カム板１１５の実線位置は広角端にある際の位置を示しており、二点鎖線位置は望遠端にある際の位置を示している。
【００２６】
対物第３レンズＬ３の後方には、対物第３レンズＬ３から後方に出射した被写体光束を９０°屈曲して下方に反射する第１反射ミラーＭ１が設けられている。この第１反射ミラーＭ１は、該ミラーの周縁部が、ファインダブロック９６に形成された第１ミラー支持部９６ｅに固着されている（図１１参照）。
【００２７】
第１反射ミラーＭ１の下方には、第１反射ミラーＭ１によって下方に反射された被写体光束を９０°屈曲してカメラ２０の正面右側（図５及び図６の右方）に反射する第２反射ミラーＭ２が設けられている（図１３参照）。この第２反射ミラーＭ２は、該ミラーの周縁部が、ファインダブロック９６の屈曲光路部９６ｐに形成された第２ミラー支持部９６ｇに固着されている。第２反射ミラーＭ２によって反射された被写体光束は、屈曲光路部９６ｐ内に設けられた本発明の特徴であるピントブロック（中空ブロック部材）１２０に入射する。
【００２８】
このピントブロック１２０は、屈曲光路部９６ｐに形成されたピントブロックホールド室９６ｈ内に配設されている。ピントブロック１２０は、図１７及び図１８に拡大して示すようにブロック状に構成され、第２反射ミラーＭ２によって反射された被写体光束を通過させる光路１２２を備えたフレーム１２１を有している。このフレーム１２１には、光路１２２の一端と他端にコンデンサレンズ（透明部材）ＣＬと透明板（透明部材）ＴＰとが夫々固定されており、これらコンデンサレンズＣＬと透明板ＴＰの間に液晶表示板（ＬＣＤ）ＤＰが固定されている。
【００２９】
フレーム１２１の第２反射ミラーＭ２側の端部には、フレーム１２１にコンデンサレンズＣＬを固定するためのレンズ支持部１２４が形成されている。このレンズ支持部１２４は、外環状縁部１２４ａと、この外環状縁部１２４ａよりも光路１２２側に位置しかつ外環状外縁部１２４ａよりもその先端が透明板ＴＰ側（図１７の右方）に後退した位置ある内環状縁部１２４ｂとからなっている。外環状縁部１２４ａと内環状縁部１２４ｂとの間は、シール材（第１シール材）１２６が圧入される環状溝１２５として構成されている。シール材１２６は、多孔質テフロン等の通気性を有する多孔質材料からなっている。
【００３０】
コンデンサレンズＣＬには、外環状縁部１２４ａの内周面１２４ｃに沿う大径外周面ＣＬP と、この大径外周面ＣＬP よりも小径でかつ内環状縁部１２４ｂの内周面１２４ｄに沿う小径外周面ＣＬe と、大径外周面ＣＬP と小径外周面ＣＬe に対して直交してこれら大径外周面ＣＬP と小径外周面ＣＬe とを接続する環状接続面ＣＬb とが形成されている。内周面１２４ｃの径は、大径外周面ＣＬP の径よりも若干大きく設定されており、また内環状縁部１２４ｂの内周面１２４ｄの径は、小径外周面ＣＬe の径よりも若干大きく設定されている。よって、コンデンサレンズＣＬをレンズ支持部１２４に嵌めた状態では、大径外周面ＣＬP と外環状縁部１２４ａの内周面１２４ｃとの間に若干の隙間が形成され、また小径外周面ＣＬe と内周面１２４ｄとの間に若干の隙間が形成される。いずれの隙間も空気の流出入を許容する程度の僅かな隙間として形成されている。
【００３１】
コンデンサレンズＣＬは、大径外周面ＣＬP を外環状縁部１２４ａの内周面１２４ｃと対向させかつ環状当接面ＣＬb によりシール材１２６を環状溝１２５内に圧入した状態でレンズ支持部１２４に嵌め込まれ、レンズ固定枠（固定用部材）１２７を介してレンズ支持部１２４から外れないように保持されている。レンズ固定枠１２７は、弾性を有するバネ材等の金属材料からなっており、中央部分に形成された開口１２７ａをコンデンサレンズＣＬに対応させ、一端部に設けられた係合孔１２７ｂがフレーム１２１に突設された係合爪１２１ａに掛けられ、他端部に設けられた係合部１２７ｃがフレーム１２１に形成された係合溝１２１ｂに係合された状態でフレーム１２１に固定されている。このレンズ固定枠１２７には、係合部１２７ｃを有する端部から、カメラ２０前方に向かって湾曲した板バネ脚部（付勢部材）１２７ｄが一体に形成されている。
【００３２】
このような構成を有するレンズ固定枠１２７は、シール材１２６の弾性復元力によりレンズ支持部１２４から押し出される方向に押圧されるコンデンサレンズＣＬを逆にレンズ支持部１２４側に押し戻す方向に押圧している。この状態において、環状当接面ＣＬb と内環状縁部１２４ｂとは互いに当接せずに両者間には若干の隙間が形成されている。そしてこの若干の隙間は、上述した大径外周面ＣＬP と内周面１２４ｃとの間に形成された隙間と、小径外周面ＣＬe と内周面１２４ｄとの間に形成された隙間とに連通している。つまり、コンデンサレンズＣＬがレンズ支持部１２４に適切に支持された状態（図１７や図１８に示された状態）ではコンデンサレンズＣＬとフレーム１２１との間にシール材１２６が介在しているが、シール材１２６は通気性を有しており、上記各隙間を形成したことによってコンデンサレンズＣＬとレンズ支持部１２４との間の通気が確保されている。
【００３３】
他方、フレーム１２１の第２反射ミラーＭ２側の端部とは反対側の端部には、レンズ支持部１２４と同様の構造を有するレンズ支持部１２８が形成されている。レンズ支持部１２８は、外環状縁部１２８ａと、この外環状縁部１２８ａよりも光路１２２側に位置しかつ外環状外縁部１２８ａよりもその先端がコンデンサレンズＣＬ側に後退した位置にある内環状縁部１２８ｂとを有しており、このレンズ支持部１２８には、コンデンサレンズＣＬをレンズ支持部１２４に取り付ける構造と同様の構造により透明板ＴＰが取り付けられている。つまり、外環状縁部１２８ａと内環状縁部１２８ｂとの間はシール材１２６と同様のシール材（第１シール材）１２９が圧入される環状溝１３０として構成され、また透明板ＴＰは、外周面ＴＰP を外環状縁部１２８ａの内周面１２８ｃと対向させかつ環状当接面ＴＰb によりシール材１２９を環状溝１３０内に圧入した状態でレンズ支持部１２８に嵌め込まれ、フレーム１２１に固定されたレンズ固定枠１２７と同様のレンズ固定枠（固定用部材）１３１を介してレンズ支持部１２８から外れないように保持されている。
【００３４】
レンズ固定枠１３１は、中央部分に形成された開口１３１ａを透明板ＴＰに対応させ、一端部に設けられた係合孔１３１ｂがフレーム１２１に突設された係合爪１２１ｃに掛けられ、他端部に設けられた係合部１３１ｃがフレーム１２１に形成された係合溝１２１ｄに係合された状態でフレーム１２１に固定されている。またレンズ固定枠１３１には、係合部１３１ｃを有する端部から、カメラ２０前方に向かって湾曲した板バネ脚部（付勢部材）１３１ｄが一体に形成されている。透明板ＴＰがレンズ支持部１３１に適切に支持された状態（図１７や図１８に示された状態）では、上述したコンデンサレンズＣＬの支持構造部分と同様に、透明板ＴＰとフレーム１２１との間にはシール材１２９が介在しているが、シール材１２９は通気性を有しており、外環状縁部１２８ａの内周面１２８ｃと外周面ＴＰP との間には若干の隙間が形成されているので、透明板ＴＰとレンズ支持部１２８との間の通気が確保されている。図１７及び図１８中で一点鎖線で描かれたシール材１２６、１２９は夫々、環状溝１２５、１３０内に圧入される前の状態（自由状態）の断面形状を示すものである。
【００３５】
シール材１２６及びシール材１２９の夫々は、無端の環状シール材ではなく、紐状とされたシール材として構成されている。図２０は、これら紐状のシール材１２６、１２９を対応の環状溝１２５、１３０内に設ける際の様子を示すものである。図２０は、対物光学系側（図１７の左側）から視たフレーム１２１を示し、即ちフレーム１２１のシール材１２６が設けられる側のみを示しているが、シール材１２６を環状溝１２５内へ設ける構造とシール材１２９を環状溝１３０内へ設ける構造とは同一であるため、シール材１２９を環状溝１３０内へ設ける際の様子を示す図を兼用している。なお、接眼光学系側（図１７の右側から視たフレーム１２１を示す図は、図２０を反転させた図と同一となる。
【００３６】
図２０に示すように、外環状縁部１２４ａ（または１２８ａ）の一部には、シール材出入溝１４３が形成されている。シール部材１２６（または１２９）は、先ずその一端部１２６ａ（または１２９ａ）がシール材出入溝１４３から若干外側に出された状態でシール材出入溝１４３に嵌め込まれ、続いて環状溝１２５（または１３０）に沿って適宜嵌め込まれ、最後に、他端部１２６ｂ（または１２９ｂ）がシール材出入溝１４３から若干外側に出された状態で、一端部１２６ａ（または１２９ａ）上に重ねてシール材出入溝１４３に嵌め込まれている。
【００３７】
フレーム１２１の内部には、第２反射ミラーＭ２によって反射された被写体光束の光軸ＯMに対して直交した状態で透過型の液晶表示板ＤＰが配設されている。フレーム１２１の光路１２２内には環状溝１２３が形成されており、液晶表示板ＤＰは、該液晶表示板ＤＰの周縁部をこの環状溝１２３内に位置させてフレーム１２１内に支持されている。フレーム１２１の上部には上方に延びる突出部１２１ｅが形成されており、この突出部１２１ｅには、環状溝１２３とフレーム１２１外部とを連通させる、前後方向に長い長孔（挿通孔）１２１ｆが形成されている。液晶表示板ＤＰの上端から延びるフレキシブル配線板１３２は、この長孔１２１ｆを通ってピントブロック１２０外部に延出されている。長孔１２１ｆの途中部分の内側面には、フレキシブル配線板１３２の周囲を囲むように溝１２１ｇが形成されている。この溝１２１ｇには、シール材１２６、１２９と同様の材料からなる環状のシール材（第２シール材）１３３が圧入される。つまり、フレキシブル配線板１３２は、長孔１２１ｆ内の溝１２１ｇと対向する部分が、該部分を取り巻くシール材１３３により挟圧される。よって長孔１２１ｆはシール材１３３により密封されるが、シール材１３３は通気性を有しているためシール材１３３を挟んだ内外の通気が確保されている。フレーム１２１には環状溝１２３と連通する液晶表示板挿入口１２１ｈが形成されており、ピントブロック１２０の組立時、液晶表示板ＤＰは、この液晶表示板挿入口１２１ｈを通してフレーム１２１内に挿入される。この挿入後、接着剤等を用いて液晶表示板挿入口１２１ｈに挿入口閉じ部材１３４が接着される。図１７に一点鎖線で描かれたシール材１３３は、環状溝１２１ｇ内に圧入される前の状態（自由状態）の断面形状を示すものである。
【００３８】
液晶表示板ＤＰは、間に液晶を封入した一対の透明ガラス板１３５、１３６を有しており、実際の撮影画面とファインダ視野画面とが一致しない場合（例えば近接撮影時やパノラマ撮影時）、ファインダ視野画面における実際に撮影されない部分に対応する箇所に封入された液晶部分に電圧を印加させて該液晶部分を半透明状態とする。これにより、撮影者は、ファインダを覗いた際にファインダ視野画面中で半透明状態とされている部分がある場合にはその半透明部分の視野は撮影画面外にあるものと認識することができる。
【００３９】
第２反射ミラーＭ２に反射されてコンデンサレンズＣＬを透過した物体像（被写体光束）は、一対の透明ガラス板１３５、１３６の間の当接面１３７付近に結像される。つまり、液晶表示板ＤＰは、対物第１レンズＬ１、対物第２レンズＬ２、対物第３レンズＬ３及びコンデンサレンズＣＬを透過して形成された結像面付近に配置されている。透明ガラス板１３６の透明板ＴＰ側の面の周辺部には、矩形の撮影画面に対応する形状の視野枠１３８が固定されている。
【００４０】
またフレーム１２１内には、コンデンサレンズＣＬの液晶表示板ＤＰに対向するレンズ面及び透明板ＴＰの液晶表示板ＤＰに対向する面の夫々に近接させて、偏光板１４０、１４１が設けられている。偏光板１４０、１４１の周縁部は、フレーム１２１に形成された支持面１２１ｐ、１２１ｑに夫々固定されている。これら偏光板１４０、１４１は、液晶表示板ＤＰの通電されていない液晶表示部がファインダ視野内にて観察されないようにするためのものである。
【００４１】
フレーム１２１の下面には光軸ＯM と直交する方向で前後方向に延びる一対の案内溝１２１ｉが形成されており、この一対の案内溝１２１ｉには、ピントブロックホールド室９６ｈ底面の対応する位置に形成された一対の案内レール９６ｉが摺動自在に嵌っている。ピントブロックホールド室９６ｈの上方には、ピントブロックホールド室９６ｈの上壁として構成された、カバー部１００に形成されたピントブロック押え部１０６が固定されている。ピントブロック押え部１０６には前後方向に長い矩形の開口１０６ａが形成されており、フレーム１２１上部の突出部１２１ｅは、この開口１０６ａを通ってピントブロックホールド室９６ｈの外部に延出している。開口１０６ａは、前後方向で突出部１２１ｅよりも長く形成され、突出部１２１ｅを前後方向にのみ移動可能とする案内溝として機能する。ピントブロックホールド室９６ｈの前後方向の長さは、ピントブロック１２０の前後方向の長さよりも所定量長く形成され、板バネ脚部１２７ｄ、１３１ｄの各先端は、ピントブロックホールド室９６ｈの前側壁９６ｌに当接している。よってピントブロック１２０は、板バネ脚部１２７ｄ、１３１ｄの付勢力により常時後方に押圧された状態で、内レール９６ｉ、案内溝１２１ｉ、突出部１２１ｅ及び開口１０６ａによるガイド機構により前後方向に所定量移動可能とされている。図１２において、二点鎖線で示した板バネ脚部１２７ｄ、１３１ｄは、板バネ脚部１２７ｄ、１３１ｄが前側壁９６ｌに当接しないと仮想した場合での自由状態を示している。
【００４２】
ピントブロックホールド室９６ｈの後側壁９６ｍには視差調整ねじ１４２が螺合され、この視差調整ねじ１４２の先端部はピントブロックホールド室９６ｈ内のピントブロック１２０後部に当接している。この視差調整ねじ（調整手段）１４２を板バネ脚部１２７ｄ、１３１ｄの付勢力に抗して回動させることで、ピントブロックホールド室９６ｈ内におけるピントブロック１２０の前後位置調整を行うことができる。ピントブロック１２０が前後移動すると、ファインダ視野は上下方向に移動する。つまり、カメラの組立作業中におけるファインダ視差調整時、実際の撮影画面とファインダ視野とが上下方向で視差がある場合には視差調整ねじ１４２を調整することで上下方向での視差調整を行うことができる。
【００４３】
屈曲光路部９６ｐの正面右側（図１２での右側上部）には、ピントブロックホールド室９６ｈと連通するプリズムホールド室９６ｎが形成されており、このプリズムホールド室９６ｎ内にプリズムＰＳの略下半分が固定されている（図１３参照）。プリズムＰＳの略上半分はプリズムホールド室９６ｎから上方に向かって延出し、この延出部分は、カバー部１００に形成されたプリズムカバー部１０４（図１４）に覆われている。プリズムＰＳは、ピントブロック１２０から出射した被写体光束を入射させる入射面Ｐ１と、この入射面Ｐ１に入射した被写体光束を９０°屈曲して上方に反射する第１反射面Ｐ２と、この上方に反射された被写体光束をさらに９０°屈曲して後方に反射する第２反射面Ｐ３と、この第２反射面Ｐ３により反射された被写体光束をプリズムＰＳ外に出射させる出射面Ｐ４と有しており、ピントブロック１２０からの被写体像を第１反射面Ｐ２と第２反射面Ｐ３とにより上下左右の正しい正立像に変えて接眼レンズＥＰに導く。
【００４４】
出射面Ｐ４の後方には、カバー部１００に形成された接眼レンズホールド部１０５が設けられている（図１４参照）。この接眼レンズホールド部１０５内は出射面Ｐ４と連通しており、接眼レンズホールド部１０５内には接眼レンズＥＰが支持されている。この接眼レンズホールド部１０５は、ファインダ接眼部３１内に位置されており、撮影者は、ファインダ接眼部３１を介して接眼レンズＥＰを覗くことができる。図中のＯE は、この接眼レンズＥＰの光軸を示している。
【００４５】
以上の構造を有するファインダ光学系では、対物第１、第２及び第３レンズＬ１、Ｌ２、Ｌ３を通過した被写体光束は、第１反射ミラーＭ１により下方に反射され、続いて第２反射ミラーＭ２によりピントブロック１２０に向けて反射され、コンデンサレンズＣＬと偏光板１４０とを通過して液晶表示板ＤＰの当接面１３７付近に結像される。続いてこの結像された被写体像は偏光板１４１と透明板ＴＰを通過した後第１反射面Ｐ２により上方に反射され、続いて第２反射面Ｐ３により後方に反射され、そして接眼レンズＥＰを介して正立像として撮影者に観察される。
【００４６】
以上のように、カメラ２０に備わった本発明の特徴である実像式ファインダでは、ファインダブロック９６全体を密封構造にすることなく、対物光学系による結像面及びその前後の所定範囲の空間のみを、ファインダブロック９６とは別部材として構成したピントブロック１２０内部の閉空間内に位置させる構成により結像面付近へのゴミの侵入を防いでいるので構造が容易である。また、ピントブロック１２０自体をファインダ光軸（光軸ＯM ）に対して直交する方向に移動させることで視差調整ができるので、他に視差調整用の機構を設ける必要がない。
【００４７】
また、通気性を有するシール材１２６、１２９、１３３を用いることによってピントブロック１２０内の閉空間と外部との通気を確保する構成としたので、温度変化によってピントブロック１２０内外の圧力差が生じることはない。
【００４８】
さらに、ファインダブロック９６の組立工程に関し、ファインダブロック９６全体をクリーンルーム内で組み立てずに、ピントブロック１２０のみをクリーンルーム内で組立てるようにしてもクリアなファインダ視野を確保することができるため、管理面で容易である。また、ピントブロック１２０の各構成要素のいずれかに不具合や不良品がある場合にはピントブロック１２０ごと交換することができ、よって交換修理が容易である。
【００４９】
さらに、シール材１２６とシール材１２９として紐状のシール材を用いる構成としたので、無端の環状シール材を用いる場合に比しシール材に掛かるコストが削減される。
【００５０】
また、撮影画面とファインダ視野との上下方向での視差調整を行うためにピントブロック１２０をカメラ２０の前後方向に移動可能な構成としたが、ピントブロック１２０の移動方向は本実施例に限定されず、カメラに必要な視差調整の方向に応じてファインダ光軸と直交する他の方向に移動可能な構成にすることができる。また、ピントブロック１２０をファインダ光軸と直交する２方向以上に移動させる構成としてもよい。
【００５１】
また、ピントブロック１２０には液晶表示板ＤＰを設ける構成としたが、液晶表示板ＤＰを設けることなく、結像面付近に視野枠のみを設ける構成としてもよい。この場合、長孔１２１ｆやシール材１３３等は不要となる。
【００５２】
また、ピントブロック１２０の対物光学系側と接眼光学系側の夫々にはコンデンサレンズＣＬと透明板ＴＰが設けられているが、ファインダ光学系のレンズ構成に応じて他の透明部材を設ける構成としてもよい。即ち、ピントブロック１２０の対物光学系側と接眼光学系側の夫々を単なる透明板としたり、また両方をレンズとしたり、また対物光学系側を透明板とし、接眼光学系側をレンズとする構成としてもよい。
【００５３】
上記実施例のカメラ２０は、使用するフィルムカートリッジとしてフィルムカートリッジ１を使用する構成とされているが、本発明はこれに限定されることなく、他種のフィルムカートリッジ（例えば従来のＣＨ−１３５等）を使用する構成としてもよい。
【００５４】
また、ファインダブロックに支持されるファインダ光学系は、上記実施例でのファインダ光学系に限定されることなく、他の構成を有するファインダ光学系であってもよい。カメラの撮影光学系が単焦点レンズの場合には固定焦点のファインダ光学系でよい。
【００５５】
上記実施例のカメラ２０はパッシブ式の測距ユニット８０を使用する構成とされているが、本発明はこれに限定されることなく、アクティブ方式等の他の測距機構を備える構成としてもよい。この場合、ユニットブロック９０内に、測距ユニット８０に代えて他の測距機構を設ける構成としてもよい。
【００５６】
また上記実施例のカメラ２０では、測光手段として、逆光状態を検知することを可能とするべく、第１、第２測光レンズ７０ａ、７０ｂからなる測光光学系７０と、これら測光レンズに対応する第１、第２測光素子を設ける構成としているが、本発明はこれに限定されることなく、他の測光手段を設ける構成としてもよい。
【００５７】
【発明の効果】
以上のように、本発明の実像式ファインダによれば、対物光学系側と接眼光学系側の夫々に透明部材が設けられた、ファインダブロックとは別部材からなる中空ブロック部材を、対物光学系による結像面を含んでファインダ光路中に配置する構成としたので、簡単な構成によって結像面付近へのゴミの侵入をふせぐことができる。そして、この中空ブロック部材を、ファインダ光軸と直交する方向に直進移動可能に支持し、対物光学系側と接眼光学系側の各透明部材を固定するための一対の固定用部材を中空ブロック部材の付勢手段とすることにより、簡単な構成によって視差調整機構を構成することが可能となっている。
【図面の簡単な説明】
【図１】本発明を適用したレンズシャッタ式カメラの斜視外観図である。
【図２】同図のカメラ内のカメラボディブロック及びその周辺部材の断面図である。
【図３】同図に示す部分をカメラの正面側から視た図である。
【図４】図２のIV-IV 線に沿った断面図である。
【図５】ユニットブロックの上面図である。
【図６】同ユニットブロックの正面図である。
【図７】同ユニットブロックの分解図である。
【図８】湾曲カム板の外観図である。
【図９】同湾曲カム板を図８とは異なる角度から視た外観図である。
【図１０】同湾曲カム板の内周面を示す展開図である。
【図１１】図６の XI-XI線に沿った断面図である。
【図１２】図６の XII-XII線に沿った断面図である。
【図１３】図５の XIII-XIII線に沿った断面図である。
【図１４】図５の XIV-XIV線に沿った断面図である。
【図１５】図５の XV-XV線に沿った断面図である。
【図１６】図５の XVI-XVI線に沿った断面図である。
【図１７】ピントブロックの縦断面図である。
【図１８】同ピントブロックの横断面図である。
【図１９】同ピントブロックの突出部の横断面図である。
【図２０】同ピントブロックのフレーム単体を示す側面図である。
【図２１】フィルムカートリッジの斜視外観図である。
【図２２】同フィルムカートリッジの図２１とは異なる角度から視た斜視外観図である。
【符号の説明】
１  フィルムカートリッジ
２０  カメラ
２０ａ  カメラボディブロック
３３  スプール室
３４  カートリッジ室
３５  撮影開口
３８  スプール
４０  撮影レンズブロック
９０  ユニットブロック
９６  ファインダブロック
９６ｐ  屈曲光路部
１２０  ピントブロック（中空ブロック部材）
１２１ｆ  長孔（挿通孔）
１２６  シール材（第１シール材）
１２７  レンズ固定枠（固定用部材）
１２７ｄ  板バネ脚部（付勢部材）
１２９  シール材（第１シール材）
１３１  レンズ固定枠（固定用部材）
１３１ｄ  板バネ脚部（付勢部材）
１３３  シール材（第２シール材）
１４２  視差調整ねじ（調整手段）
Ｌ１  対物第１レンズ
Ｌ２  対物第２レンズ
Ｌ３  対物第３レンズ
Ｍ１  第１反射ミラー
Ｍ２  第２反射ミラー
ＣＬ  コンデンサレンズ（透明部材）
ＤＰ  液晶表示板
ＩＳ  カメラ内部空間
ＴＰ  透明板（透明部材）
ＰＳ  プリズム
ＥＰ  接眼レンズ
【図１】
0003638166.tif 000002
【図２】
0003638166.tif 000003
【図３】
0003638166.tif 000004
【図４】
0003638166.tif 000005
【図５】
0003638166.tif 000006
【図６】
0003638166.tif 000007
【図７】
0003638166.tif 000008
【図８】
0003638166.tif 000009
【図９】
0003638166.tif 000010
【図１０】
0003638166.tif 000011
【図１１】
0003638166.tif 000012
【図１２】
0003638166.tif 000013
【図１３】
0003638166.tif 000014
【図１４】
0003638166.tif 000015
【図１５】
0003638166.tif 000016
【図１６】
0003638166.tif 000017
【図１７】
0003638166.tif 000018
【図１８】
0003638166.tif 000019
【図１９】
0003638166.tif 000020
【図２０】
0003638166.tif 000021
【図２１】
0003638166.tif 000022
【図２２】
0003638166.tif 000023